【事件の表示】
　特願２０１６−５４６７４９「一体型装置のための同時の表示更新及び容量性感知」拒絶査定不服審判事件〔平成２７年　４月　９日国際公開、ＷＯ２０１５／０５０８８８、平成２８年１０月１３日国内公表、特表２０１６−５３２２３４〕について、次のとおり審決する。
【結　論】
　本件審判の請求は、成り立たない。
【理　由】
１．手続の経緯 
　本願は、２０１４年（平成２６年）９月３０日（パリ条約による優先権主張外国庁受理２０１３年１０月２日、米国、２０１３年１０月２日、米国、２０１４年５月２０日、米国、２０１４年７月３日、米国）を国際出願日とする出願であって、その後の手続の概要は、以下のとおりである。
　平成２８年　５月　９日：　　手続補正書
　平成３０年　５月１７日付け：拒絶理由通知
　平成３０年　８月１７日：　　意見書、手続補正書
　平成３０年１１月２２日付け：拒絶査定
　平成３１年　３月２９日：　　審判請求
２．本願発明
　本願の請求項に係る発明は、平成３０年８月１７日提出の手続補正書により特許請求の範囲の請求項１ないし１３に記載された事項により特定されるものと認められるところ、その請求項１０に係る発明（以下、「本願発明」という。）は、次のとおりのものである。
「【請求項１０】
　複数のセンサ電極及び複数のディスプレイ電極に結合された処理システムを動作させる方法であって、
　表示を更新するために複数のディスプレイ電極のうちの少なくとも１つへ表示信号を駆動するステップと、
　前記表示のピクセルを更新するための前記表示信号の駆動している間と少なくとも部分的に重畳する第１の期間の間、前記複数のセンサ電極のうちの少なくとも１つのセンサ電極へ第１の周波数を有する第１の容量性感知信号を駆動するステップと、
　　前記表示のピクセルを更新するための前記表示信号を駆動している間と少なくとも部分的に重畳する第２の期間の間、前記少なくとも１つのセンサ電極へ第２の周波数を有する第２の容量性感知信号を駆動するステップと、
　前記第２の周波数との同期を維持するように前記表示信号のタイミングを調整するステップと、を備える方法。」
３．原査定の拒絶の理由
　原査定の拒絶の理由は、次のとおりのものである。
　この出願の請求項１−１３に係る発明は、その優先権主張日前に日本国内又は外国において、頒布された下記の引用文献１−２に記載された発明又は電気通信回線を通じて公衆に利用可能となった発明に基いて、その優先権主張日前にその発明の属する技術の分野における通常の知識を有する者が容易に発明をすることができたものであるから、特許法第２９条第２項の規定により特許を受けることができない。
引用文献１：　特開２０１１−１８１０７７号公報
引用文献２：　特表２０１３−５２１５４８号公報
４．引用文献の記載及び引用発明について
（１）　引用文献１の記載
　引用文献１（特開２０１１−１８１０７７号公報）には、図面とともに以下の事項が記載されている（下線は、特に着目した箇所を示す。以下同様。）。
ア　段落【００３０】−【００３６】
「【００３０】
　下で詳しく説明しているものの様な
マルチタッチ感知配列を使用すると、マルチタッチ・センサ１０１の各ノード１０２で生成された信号を使用して、特定の時点の各タッチのイメージ
タッチ面平面のピクセル化イメージ（これを、タッチ・イメージ、マルチタッチ・イメージ、又は近接イメージと呼ぶことにする）が形成され
【００３１】
　それら感知配列と組合せて、抵抗性、容量性、光学性、その他を含む、多種多様な感知技法が使用できる。容量ベースの感知配列では、物体がタッチ感応面１０１に近づくと、この物体と当該物体に近接している各感知点１０２の間に僅かな容量が形成される。この僅かな容量によって生じた感知点１０２のそれぞれの容量の変化を検知し、それら感知点の位置を観察することによって、感知回路１０３は、複数のタッチを検知し監視することができる。各容量感知ノードは、自己容量に基づくものでも又は相互容量に基づくものでもよい。
【００３２】
　自己容量システムでは、感知点の「自己」容量が、何らかの基準、例えば、接地、と比較して測定される。感知点１０２は、空間的に分離されている電極であってもよい。それら電極は、駆動回路１０４と感知回路１０３に、導電トレース１０５ａ（駆動ライン）と１０５ｂ（感知ライン）によって結合されている。幾つかの自己容量式実施形態では、各電極に対する１つの導電トレースを、駆動ラインと感知ラインの両方として使用することができる。
【００３３】
　相互容量システムでは、第１電極と第２電極の間の「相互」容量が測定される。相互容量感知配列では、感知点は、空間的に分離された各ラインを形成している、パターン形成された導電体の交差部により形成される。例えば、駆動ラインと感知ラインが各感知点１０２で互いに交わる、即ち「交差する」ように、駆動ライン１０５ａは第１層上に、感知ライン１０５ｂは第２層１０５ｂ上に、形成される。異なる層は、異なる基板であってもよいし、同じ基板の異なる面であってもよいし、何らかの誘電分離を施した基板の同じ面であってもよい。駆動ラインと感知ラインの間の分離により、各「交差部」に容量性結合が生じる。
【００３４】
　
駆動ラインと感知ラインの配列は
駆動ラインは横方向の行として形成され、一方、感知ラインは縦方向の列として形成され
【００３５】
　
作動時、駆動信号（例えば、周期的電圧）が、各駆動ライン１０５ａに印加され
これは、検知可能測定可能な電流及び／又は電圧を、感知ライン１０５ｂに発生させ
【００３６】
　上で論じたように、
駆動ライン１０５ａは、一度に１つずつ駆動され、その間、他の駆動ラインは接地され
この処理は、全ての駆動ラインが駆動されるまで、それぞれの駆動ライン１０５ａについて繰り返され、（容量に基づく）タッチ・イメージが、感知結果から構築され
全てのライン１０５ａが駆動されてしまうと、上記シーケンスが繰り返されて、一連のタッチ・イメージが構築され
イ　段落【００５６】−【００５８】
「【００５６】
２．一体化オプション
　一体型タッチ感知を備えたＬＣＤの幾つかの実施形態は、上ガラスと下ガラスを含んでいる。２つのガラス層の間の液晶の層を通過する光の量に影響を及ぼすため、ディスプレイ制御回路を、それらガラス層の一方及び／又は両方に形成することができる。上ガラスと下ガラスの外部縁の間の空間は、ここでは
液晶モジュール（ＬＣＭ）
【００５７】
　代表的なＬＣＤ積層構成１２００は、通常、図１２に示す様に、追加の層を含んでいる。図１２では、ハードコートされたＰＭＭＡ層１２０１が、ＬＣＤポラライザー１２０２と上ガラス１２０３を保護しており、第２ポラライザー１２０５は、下ガラス１２０４とバックライト１２０６の間に含まれている。
【００５８】
　タッチ感知技術をＬＣＤへの一体化するのは、各種技法を使用して実現することができる。例えば、異なるタッチ感知要素及び／又は層を、ＬＣＤディスプレイに組み込むことができ、実施形態が違えば、ディスプレイ及び／又は製造のコスト、ディスプレイの大きさ、ディスプレイの複雑性、ディスプレイの耐久性、ディスプレイの機能性、イメージ表示品質の様な要素が変動することになる。幾つかの実施形態では、タッチ感知能力は、タッチ感知要素をＬＣＭの外部のＬＣＤディスプレイ上に一体化することにより、ＬＣＤの中に含ませることができる。他の実施形態では、タッチ感知要素は、ＬＣＭ内部（例えば、２つのガラス層の間）のみならずＬＣＭの外部にも追加されている。更に他の実施形態では、タッチ感知要素のセットが、ＬＣＭ内部（例えば、２つのガラス層の間）だけに追加されている。以下の節では、上記実施形態のそれぞれに合わせた複数のコンセプトを説明する。」
ウ　段落【００６７】−【００６９】
「【００６７】
２．２．
部分的に一体化されたタッチ感知
　タッチ感知要素をＬＣＭ内部に一体化することは、様々な利点をもたらす。例えば、タッチ感知要素をＬＣＭ内部に追加すれば、ディスプレイ機能にしか使用することができなかったＩＴＯ層又は他の構造を「再使用」して、タッチ感知の機能性をも提供することができるようになる。タッチ感知特性を既存のディスプレイ層に組み込むことで、合計層数を減らすことができ、これにより、ディスプレイの厚さが薄くなり、製造行程を簡素化することができる。
【００６８】
　以下の実施形態では、
タッチ感知要素をＬＣＭ内部と外部に含ませ
タッチ感知要素をＬＣＭ内に一体化することは、結果的に、２つの機能の間にノイズと干渉を生じさせるので、
両者の間の電気的干渉によって引き起こされるディスプレイ及び／又はタッチ感知出力に対するあらゆる悪影響を低減又は排除しながら、各要素を共有できるようにする、技法
【００６９】
２．２．１．
コンセプトＡ
　
コンセプトＡは、
基本的積層構成２０００を使用することができ
一番上から始めて、タッチ感知層は、ＩＴＯ１　２００１（Ｎ個の感知
ラインにパターン形成することができるＩＴＯ層）と、ＩＴＯ２　２００４（Ｍ個の駆動
ラインにパターン形成することができるＩＴＯ層）を含んで
ＩＴＯ２　２００４は、ＬＣＤのＶCOM電極の役目も果た
エ　段落【００７４】−【００８２】
「【００７４】
２．２．１．３．コンセプトＡ：フレックス回路とタッチ／ＬＣＤドライバＩＣ
　従来のディスプレイ（例えば、図９）は、ＬＣＤドライバ集積回路（ＩＣ）９０１を有していて、ディスプレイのローレベル・オペレーションを制御することができるようになっている。システムのホスト・プロセッサは、コマンドとディスプレイデータをＬＣＤドライバ９０１に送ることによって、ディスプレイに対してハイレベル制御を実行する。マルチタッチ・システムは、更に、１つ又は複数のドライバＩＣを有している。援用している参考文献に記載されている１つの一例的なマルチタッチ可能システムは、３つのＩＣ、即ち、マルチタッチ・コントローラと、外部レベルシフター／デコーダと、ＡＲＭプロセッサの様なコントローラと、を含んでいる。ＡＲＭプロセッサは、マルチタッチ・コントローラに対してローレベル制御を実行し、このマルチタッチ・コントローラが、次に、レベルシフター／デコーダを制御する。システムのホスト・プロセッサは、ＡＲＭプロセッサに対してハイレベル制御を実行し、同プロセッサからタッチデータを受け取る。幾つかの実施形態では、それら各ドライバは、単一のＩＣに集積されている。
【００７５】
　図２５は、
タッチ／ＬＣＤ駆動集積回路２５０１
には、２つの主要機能、即ち、１）ＬＣＤ制御と更新、及び２）タッチ走査とデータ処理、があ
これら２つの機能は、ＬＣＤ制御に使用されるＬＣＤドライバ部分２５０２と、タッチ走査と処理に使用されるＡＲＭプロセッサ２５０３及びマルチタッチ・コントローラ２５０４と、によって一体化
各タッチ回路は、一方が他方に干渉することを防ぐために、ＬＣＤ走査と同期化され
【００７６】
　図２６に示すように、様々なタッチ及びディスプレイ層の信号をまとめて運ぶＦＰＣ２６０１は、３つのコネクタタブ、即ち、Ｔ−タブ２６０２、Ｂ−タブ２６０３、及びホスト・タブ２６０４を有している。Ｔ−タブは、上ガラス側の感知ラインパッドに接続されている。Ｔ−タブ・トレース２６０５は、Ｂ−タブ２６０３上の対応するパッドに接続されており、Ｂ−タブは下ガラスにも取り付けられている。Ｂ−タブ２６０３は、更に、ホストをタッチ／ＬＣＤドライバＩＣに接続できるようにする、ホスト・タブ２６０４からの通り抜け経路２６０６を提供している。ＦＰＣ２６０１は、タッチ及びＬＣＤオペレーションを支援している各種構成要素２６０７の基板にもなっていて、２つのパッド２６０８を介してバックライトＦＰＣにも接続されている。
【００７７】
　ＦＰＣ２６０１は、上ガラスと下ガラスの両方に接合されているタブでもよい。或いは、他の接合方法を採用してもよい。
【００７８】
２．２．１．４．コンセプトＡ：下ガラス側に一体化させたタッチ駆動
　レベルシフター／デコーダ・チップは、別体の電圧ブースタ（例えば、３Ｖ乃至１８Ｖブースタ）と共に、タッチ感知のための高電圧駆動回路を提供する。１つの実施形態では、タッチ／ＬＣＤドライバＩＣは、レベルシフター／デコーダ・チップを制御することができる。或いは、電圧ブースタ及び／又はレベルシフター／デコーダは、タッチ／ＬＣＤドライバＩＣに一体化してもよい。例えば、その様な一体化は、高圧（１８Ｖ）ＬＴＰＳ加工を利用して実現することができる。これにより、レベルシフター／デコーダ・チップと電圧ブースタを下ガラスの周辺に一体化することができるようになる。レベルシフター／デコーダは、更に、下で論じるＶCOM変調とタッチ駆動のための電圧も提供する。
【００７９】
２．２．１．５．コンセプトＡ：タッチ駆動をＬＣＤ　ＶCOMと共有
　上で論じたように、
コンセプトＡは、標準的なＬＣＤ積層構成に１層のＩＴＯ層を追加し、それをタッチ感知ラインとして機能させて
タッチ駆動層は、ＩＴＯ２とも表わされるＬＣＤ　ＶCOM面と共有され
ディスプレイ・オペレーションでは、標準的なビデオ・リフレッシュ・レート（例えば、６０ｆｐｓ）が使用され
タッチ感知では、少なくとも毎秒１２０回というレートが使用され
しかしながら、タッチ走査レートは、ディスプレイ・リフレッシュ・レートに一致する毎秒６０走査の様な低速に落としてもよ
ディスプレイ・リフレッシュ又はタッチ走査（同じレート又は異なるレートで行われている）を低速化又は中断させること無く、ＩＴＯ２層を共有化できるようにする
【００８０】
　
同時に起こるディスプレイ更新とタッチ走査
の実施例には、５つのマルチタッチ駆動セグメント２７００、２７０１、２７０２、２７０３、２７０４が
各タッチ駆動セグメントは、Ｍ個のディスプレイ行に重なって
ディスプレイは、毎秒６０フレームで走査され、一方、マルチタッチ・センサ・アレイは毎秒１２０回走査され
１ディスプレイ・フレームの時間展開が１６．６７ｍｓｅｃ持続
【００８１】
　パッチ２７０５は、各ディスプレイ行が更新中であることを表している。パッチ２７０６は、アクティブなタッチ駆動セグメントを表している。図２７の左上隅の、
ディスプレイ・フレームの開始地点で、１番目のＭ／２個のディスプレイ・ラインがリフレッシュされ
同時に、タッチ駆動セグメント１　２７０１は、タッチ感知を目的として駆動され
時間ｔ＝１．６７ｍｓの時点で
は、次のＭ／２個のディスプレイ行がリフレッシュ中であり、同時に、タッチ駆動セグメント２　２７０２が駆動され
約８．３ｍｓｅｃ後（２番目の行の開始点）には、各タッチ駆動セグメントは既に一度駆動されており、ディスプレイの半分がこれからリフレッシュされることにな
次の８．３ｍｓｅｃでは、タッチ・アレイ全体が、再度走査されることになり、而して、走査レートは１２０ｆｐｓとなり、その間、ディスプレイの他方の半分が更新され
【００８２】
　
ディスプレイ走査は、通常、ライン順に進むので、各タッチ駆動セグメントは、ディスプレイとタッチ活動が重なるのを回避するために、順番通りに駆動され
タッチ駆動の順番は、１番目の８．３ｍｓｅｃ中は１、２、３、４、０であり、２番目の８．３ｍｓｅｃ期間中は１、２、４、３、０であ
オ　段落【００９０】−【００９１】
「【００９０】
２．２．１．８．コンセプトＡ：電気モデルとＶCOM−誘導ノイズ
　
ＩＴＯ２は、タッチ駆動とＬＣＤ　ＶCOMの両方で同時に使用されることから、ＶCOMの変調はタッチ信号にノイズを加えることになる
【００９１】
　例えば、或るタッチ駆動セグメントが、別のタッチ駆動セグメントがタッチ感知に使用されているのと同じ時期に、ＶCOMで変調されると、ノイズ成分がタッチ信号に加わることがある。加わるノイズの量は、ＶSTMに関するＶCOM変調の位相、振幅、及び周波数によって異なる。ＶCOMの振幅と周波数は、ＬＣＤで使用される反転方法によって異なる。」
（２）　引用発明
　よって、上記各記載事項を関連図面に照らし、下線部に着目すれば、引用文献１には、次の発明（以下、「引用発明」という。）が記載されているといえる。
「マルチタッチ感知配列を使用すると、マルチタッチ・センサ１０１の各ノード１０２で生成された信号を使用して、特定の時点の各タッチのイメージである、タッチ面平面のピクセル化イメージ（これを、タッチ・イメージ、マルチタッチ・イメージ、又は近接イメージと呼ぶことにする）が形成され、
　駆動ラインと感知ラインの配列は、駆動ラインは横方向の行として形成され、一方、感知ラインは縦方向の列として形成され、
　作動時、駆動信号（例えば、周期的電圧）が、各駆動ライン１０５ａに印加され、これは、検知可能測定可能な電流及び／又は電圧を、感知ライン１０５ｂに発生させ、駆動ライン１０５ａは、一度に１つずつ駆動され、その間、他の駆動ラインは接地され、この処理は、全ての駆動ラインが駆動されるまで、それぞれの駆動ライン１０５ａについて繰り返され、（容量に基づく）タッチ・イメージが、感知結果から構築され、全てのライン１０５ａが駆動されてしまうと、上記シーケンスが繰り返されて、一連のタッチ・イメージが構築され、
　部分的に一体化されたタッチ感知では、
　タッチ感知要素を液晶モジュール（ＬＣＭ）内部と外部に含ませ、タッチ感知要素をＬＣＭ内に一体化することは、結果的に、２つの機能の間にノイズと干渉を生じさせるので、両者の間の電気的干渉によって引き起こされるディスプレイ及び／又はタッチ感知出力に対するあらゆる悪影響を低減又は排除しながら、各要素を共有できるようする、技法である、
　部分的に一体化されたタッチ感知のコンセプトＡでは、
　基本的積層構成２０００を使用することができ、一番上から始めて、タッチ感知層は、ＩＴＯ１　２００１（Ｎ個の感知ラインにパターン形成することができるＩＴＯ層）と、ＩＴＯ２　２００４（Ｍ個の駆動ラインにパターン形成することができるＩＴＯ層）を含んでおり、ＩＴＯ２　２００４は、ＬＣＤのＶCOM電極の役目も果たし、
　タッチ／ＬＣＤ駆動集積回路２５０１には、２つの主要機能、即ち、１）ＬＣＤ制御と更新、及び２）タッチ走査とデータ処理、があり、
　これら２つの機能は、ＬＣＤ制御に使用されるＬＣＤドライバ部分２５０２と、タッチ走査と処理に使用されるＡＲＭプロセッサ２５０３及びマルチタッチ・コントローラ２５０４と、によって一体化し、
　各タッチ回路は、一方が他方に干渉することを防ぐために、ＬＣＤ走査と同期化され、
　コンセプトＡは、標準的なＬＣＤ積層構成に１層のＩＴＯ層を追加し、それをタッチ感知ラインとして機能させており、タッチ駆動層は、ＩＴＯ２とも表わされるＬＣＤ　ＶCOM面と共有され、
　ディスプレイ・オペレーションでは、標準的なビデオ・リフレッシュ・レート（例えば、６０ｆｐｓ）が使用され、タッチ感知では、少なくとも毎秒１２０回というレートが使用され、しかしながら、タッチ走査レートは、ディスプレイ・リフレッシュ・レートに一致する毎秒６０走査の様な低速に落としてもよく、
　ディスプレイ・リフレッシュ又はタッチ走査（同じレート又は異なるレートで行われている）を低速化又は中断させること無く、ＩＴＯ２層を共有化できるようにするために、
　同時に起こるディスプレイ更新とタッチ走査の実施例には、５つのマルチタッチ駆動セグメント２７００、２７０１、２７０２、２７０３、２７０４があり、各タッチ駆動セグメントは、Ｍ個のディスプレイ行に重なっており、ディスプレイは、毎秒６０フレームで走査され、一方、マルチタッチ・センサ・アレイは毎秒１２０回走査され、
　１ディスプレイ・フレームの時間展開が１６．６７ｍｓｅｃ持続し、
　ディスプレイ・フレームの開始地点で、１番目のＭ／２個のディスプレイ・ラインがリフレッシュされ、同時に、タッチ駆動セグメント１　２７０１は、タッチ感知を目的として駆動され、
　時間ｔ＝１．６７ｍｓの時点では、次のＭ／２個のディスプレイ行がリフレッシュ中であり、同時に、タッチ駆動セグメント２　２７０２が駆動され、
　約８．３ｍｓｅｃ後（２番目の行の開始点）には、各タッチ駆動セグメントは既に一度駆動されており、ディスプレイの半分がこれからリフレッシュされることになり、
　次の８．３ｍｓｅｃでは、タッチ・アレイ全体が、再度走査されることになり、而して、走査レートは１２０ｆｐｓとなり、その間、ディスプレイの他方の半分が更新され、
　ディスプレイ走査は、通常、ライン順に進むので、各タッチ駆動セグメントは、ディスプレイとタッチ活動が重なるのを回避するために、順番通りに駆動されず、タッチ駆動の順番は、１番目の８．３ｍｓｅｃ中は１、２、３、４、０であり、２番目の８．３ｍｓｅｃ期間中は１、２、４、３、０であり、
　ＩＴＯ２は、タッチ駆動とＬＣＤ　ＶCOMの両方で同時に使用されることから、ＶCOMの変調はタッチ信号にノイズを加えることになる、
　部分的に一体化されたタッチ感知のコンセプトＡの方法。」
（３）　引用文献２の記載
　引用文献２（特表２０１３−５２１５４８号公報）には、図面とともに以下の事項が記載されている。
ア　【請求項２１】
「【請求項２１】
　
一体化された静電容量式センサーデバイス及びディスプレイデバイスにおいて干渉を防止する方法
　前記一体化された静電容量式センサーデバイス及びディスプレイデバイスの
複合電極によって第１の周波数を有する第１のトランスミッタ信号を送信するステップ
前記複合電極が、静電容量式感知と表示更新の両方のために構成される
　前記ディスプレイデバイスの少なくとも１つの非表示更新期間の継続時間を変えるサブステップにより、前記複合電極によって前記第１のトランスミッタ信号を送信することから、
前記複合電極によって第２のトランスミッタ信号を送信することへ切り替えるステップであり、前記第２のトランスミッタ信号が、第２の周波数を有し
切り替える前記ステップが、干渉の量に少なくとも部分的に基づいて発生する、ステップ
イ　段落【０００８】
「【０００８】
　[0008]
一体化された静電容量式センサーデバイス及びディスプレイデバイスにおいて干渉を防止する方法
第１の周波数を有する第１のトランスミッタ信号が、一体化された静電容量式センサーデバイス及びディスプレイデバイスの複合電極（ｃｏｍｂｉｎａｔｉｏｎ　ｅｌｅｃｔｒｏｄｅ）によって送信される
複合電極は、静電容量式感知と表示更新の両方のために構成される
複合電極によって第２のトランスミッタ信号を送信することへの切り替えが行われる
第２のトランスミッタ信号は、第２の周波数を有し、切り替えは、干渉の量に少なくとも部分的に基づいて行われる
　
ウ　段落【００１３】
「【００１３】
　[0028]検討は、本明細書に記載のさまざまな実施形態が実装され得る
例示的な入力デバイスの説明から始まる
３つの節に分割される
第１節は、
復調の変更について検討し
第２節は、
搬送波（ｃａｒｒｉｅｒ）周波数の切り替えについて検討し、第１の周波数を有する第１のトランスミッタ信号から第２の周波数を有する第２のトランスミッタ信号への切り替えについて説明する
第３節は、
非表示更新時間中の感知について検討し
エ　段落【００３６】−【００３８】
「【００３６】
　[0051]一部のディスプレイデバイスの実施形態において、トランスミッタ電極１６０は、静電容量式センサーデバイスとディスプレイデバイスの間で共有される。一体化された静電容量式センサーデバイス及びディスプレイデバイスの一実施形態において、
トランスミッタ電極１６０は、静電容量式センサーデバイスのためのトランスミッタとして
及び
表示更新のための
電極
として動作する
各トランスミッタ電極１６０（例えば、１６０−１）は、「複合電極」と呼ばれる可能性がある
各共通電極は、セグメント分けされたＶｃｏｍ電極の１つのセグメント又は複数のセグメントである
セグメント分けされたＶｃｏｍ電極のセグメントは、
空間的に関連する表示ピクセル行又は表示行と呼ばれる
ディスプレイ全体が、単一の表示フレーム中に測定され得る
【００３７】
　[0052]複合電極１６０が利用される多くの実施形態において、１つ又は複数のその他のコンポーネントが、静電容量式感知機能とディスプレイ機能の間にやはり一体化され、共有される可能性がある。例えば、
処理システム１１０も、
一体化された静電容量式センサーデバイス及びディスプレイデバイス内で共有され得る
図６のディスプレイデバイス６００は、表示ピクセル行の一例を示す
【００３８】
　[0053]ここで図１Ｃに目を向けると、
図１Ｃは、重なり合わない複合電極１６０−４〜１６０−７の異なる位相のグループ（又は組）
は、セグメント分けされたＶｃｏｍ電極の異なるセグメント（又は表示ピクセル行）を備える
　
オ　段落【００４１】−【００４４】
「【００４１】
　[0056]ここで図１Ｅに目を向けると、
図１Ｅは、複合電極
１６０
、レシーバ電極１７０、処理システム１１０−１、処理システム１１０−２、及び同期メカニズム１９１を備える入力デバイス１９５
処理システム１１０−１は、レシーバ電極
１７０
と結合され、
結果として生じた信号を受信するように構成される
処理システム１１０−２は、複合電極
１６０
と結合される
処理システム１１０−２は、画像の表示を制御するための表示制御回路を備える
表示制御回路は、共通電極に１つ又は複数の共通駆動電圧を印可する
共通駆動電圧は、画像表示制御の駆動サイクルと同期して
処理システム１１０−１及び処理システム１１０−２は、単一の処理システムの集積回路
として実装され得る
【００４２】
　[0057]
処理システム１１０−１は、静電容量式感知を制御する
処理システム１１０−２は、表示更新を制御する
処理システム１１０−１は、同期メカニズム１９１を介して処理システム１１０−２と結合され
同期メカニズム１９１を介して互いに通信することができる
処理システム１１０−２は、トランスミッタ信号（ディスプレイ基準電圧）を、複合電極を駆動するのに共用できる別のトランスミッタ信号に切り替える
Ｖｃｏｍが、ディスプレイ基準共通電圧である
表示と共用できる同期電圧は、表示動作を著しく妨げることがない、静電容量式感知のために与えられるトランスミッタ信号を含む
【００４３】
　[0058]さまざまな実施形態において、
表示更新と静電容量式感知の間の干渉を防止するために、
表示更新時間中、電圧の遷移（例えば、エッジ）
を中止することができる
別の実施形態において、
「雑音の多い」表示更新時間中、
復調を中止することができる
【００４４】
　[0059]別個の
ディスプレイ駆動電子機器（例えば、処理システム１１０−２）と静電容量式感知電子機器（例えば、処理システム１１０−１）の間の同期は、同期メカニズム１９１（例えば、電子パルスを運ぶ電極）を用いたシステム間の通信によって実現され得る
同期のために
どちらかの処理システムが、複合電極を駆動し
表示性能に対する静電容量式感知のあらゆる悪影響
静電容量式感知の性能に対する表示更新のあらゆる悪影響を減らす
　
カ　段落【００４６】−【００４９】
「
第１節
干渉を防止するための復調の変更
【００４６】
　　　・・・（中略）・・・
【００４８】
　[0063]同じ又はさまざまな重みのより多くの復調は、オーバーサンプリング、高調波キャンセル（ｈａｒｍｏｎｉｃ　ｃａｎｃｅｌｉｎｇ）、相関二重サンプリング、又はＤＣ感知単一極性一定重みづけ（ＤＣ　ｓｅｎｓｉｔｉｖｅ　ｓｉｎｇｌｅ　ｐｏｌａｒｉｔｙ　ｃｏｎｓｔａｎｔ　ｗｅｉｇｈｔｉｎｇ）を含み得る。２つの出力電圧サンプルが、復調周波数（又はその他の可変のタイミング）でそれらのサンプルを組み合わせて静電容量の測定値を得ることによって復調器２１１でフィルタリングされ得る。その他の感知方法も、説明された実施形態の本質を変えることなく使用され得る。例えば、その他の波形（例えば、台形）、静電容量式電流伝達測定（例えば、電流増倍（ｃｕｒｒｅｎｔ　ｍｕｌｔｉｐｌｉｃａｔｉｏｎ））、又は復調方法（例えば、ヘテロダイン検出）が、本明細書に記載のものに加えて使用され得る。また、その他の復調及びリセットスキームもあり得る。一実施形態において、リセットのステップは、存在しない可能性がある（例えば、そのリセットのステップは、長さが０であるか、又は連続的である可能性がある）。以下で説明されるように、
干渉の防止を容易にするために、復調のタイミング（例えば、
復調周波数）がトランスミッタ信号のタイミング（例えば、
トランスミッタ周波数）と異なることを可能にすることが有利である可能性がある
干渉の防止を容易にするために、トランスミッタ周波数がディスプレイデバイスの行更新レート
と異なることを可能にすることも有利である
【００４９】
　[0064]
図３Ａは、送信されたトランスミッタ信号の周波数と同じである復調周波数を用いた静電容量式センサーの波形３１０Ａを示す。
複合電極が利用される一実施形態において、静電容量式感知のためのトランスミッタ信号の周波数及びディスプレイデバイスの更新は同じであり、したがって、干渉感受性スペクトル（つまり、干渉感受性対周波数）は決まっている可能性がある
キ　段落【００５８】−【００５９】
「【００５８】
　[0073]一実施形態において、
干渉の防止は、センサーの復調周波数を変えることによって、
２回以上サンプリングすることによって実現される可能性があり、
２５０ｋＨｚの復調周波数（それぞれの復調の極性について２μｓの間隔）
２５ｋＨｚのトランスミッタ信号周波数
【００５９】
　[0074]一部の実施形態において、図３Ｄに示されるように、正の復調される信号サンプルと負の復調される信号サンプルの間で取得されるゼロ信号（中間サンプル）が存在し得る。図３Ｄによって示される実施形態においては、正の復調される信号サンプルと負の復調される信号サンプルの間に７つの中間サンプルが存在する。中間サンプルは、処理中に使用されるか又は使用されない可能性がある、復調器周波数の部分的サイクルである可能性がある。これらの中間信号を盛り込むことは、入力デバイスの干渉感受性を変えるが、信号応答は必ずしも変えない。例えば、一実施形態において、中間サンプルを盛り込むことは、短い積分時間のためにＤＣで０になる（積分時間によって設定される包絡線を有する）２５０ｋＨｚの結果として生じた信号から外れた５０ｋＨｚの感受性側波帯（ｓｕｓｃｅｐｔｉｂｉｌｉｔｙ　ｓｉｄｅｂａｎｄ）をもたらす。同じ結果として生じた信号を用いた単一対復調スキーム（ｓｉｎｇｌｅ　ｐａｉｒ　ｄｅｍｏｄｕｌａｔｉｏｎ　ｓｃｈｅｍｅ）及び二重復調スキーム（ｄｏｕｂｌｅ　ｄｅｍｏｄｕｌａｔｉｏｎ　ｓｃｈｅｍｅ）（又はより高次のｓｉｎｃ、成形、若しくはＦＩＲ復調ループ）に関する干渉感受性スペクトルは、十分に直交しており（例えば、あまりピークが重ならず）、（１＋２Ｎ）ｘ２５ｋＨｚにピークを持つ第１のスペクトル及びＮｘ５０ｋＨｚにピークを持つ第２のスペクトルを含む。したがって、これらの２つの復調スキームの間の選択をする能力は、送信される
トランスミッタ信号の周波数が実質的に固定されているときでさえも、復調周波数切り替えによって効果的な干渉の防止を可能にする
ク　段落【００６３】
「【００６３】
　[0078]トランスミッタ回路４０５は、感知領域に配置される１つ又は複数のトランスミッタ電極（又は複合電極）を用いてトランスミッタ信号を送信するように動作する。所与の時間間隔において、トランスミッタ回路４０５は、複数のトランスミッタ電極のうちの１つ又は複数を用いてトランスミッタ信号（波形）を送信することができる。トランスミッタ回路４０５は、複数のトランスミッタ電極のうちの１つ又は複数のトランスミッタ電極を、そのようなトランスミッタ電極を用いて送信していないとき、接地に、又は基準電圧（例えば、Ｖｃｏｍ若しくは何らかのその他の基準電圧）などの一定の電圧に結合するためにやはり利用され得る。トランスミッタ回路は、感知領域をスキャンするために、異なる時間に異なるトランスミッタ（複合）電極をスキャンすることができる。トランスミッタ信号は、方形波、台形波、又は何らかのその他の波形である可能性がある。さまざまな実施形態において、
図９の波形９１０、９２０、及び９３０
トランスミッタ電極／複合電極を用いて送信され得る波形
波形９１０、９２０、及び９３０は、複数の遷移（例えば、２つ以上）が、送信されたトランスミッタ信号の波形において行われ
遷移が非表示更新期間（例えば、水平帰線消去期間又は垂直帰線消去期間）中に発生するように時間を決められる
非表示更新時間中、遷移は、表示更新にいかなる影響も与えない
別の実施形態において
遷移は、表示更新期間と同期している（例えば、行のピクセルの更新
と実質的に同時である）可能性がある
ケ　段落【００７９】−【００８３】
「
第２節
干渉を防止するための搬送波（トランスミッタ信号）周波数の切り替え
【００７９】
　[0094]
図６は、複数の表示行６１０
を備えるディスプレイデバイス及びタイミング６００
表示ピクセル行の各ピクセル更新時間６４０の終わりの非表示更新時間６５０
表示ピクセル行６１０の下に、非表示更新時間６２０
ライン更新時間６３０は、少なくともピクセル更新時間６４０と非表示更新時間６５０の合計
非表示更新時間６５０は、水平帰線消去期間又は非更新時間と呼ばれる
非表示更新時間６２０は、垂直帰線消去期間（ライン又は行）と呼ばれる
【００８０】
　[0095]
ディスプレイデバイス６００のトランスミッタ信号周波数（搬送波信号周波数）は、表示フレームリフレッシュレート（フレームレート）、表示ピクセル行６１０の数、ピクセル更新時間６４０、非表示更新時間６５０、及び非表示更新時間６２０の関係に基づく
【００８１】
　[0096]
ライン更新時間６３０
非表示更新時間６５０
垂直帰線消去ラインの数
調整することによって
同期されたトランスミッタ信号周波数が、表示フレーム
レートを変えることなく干渉を防止するために切り替えられ
ディスプレイデバイスにおいては、
ピクセル更新時間６４０
表示フレーム
レートを維持することが望ましい
ディスプレイデバイス
と静電容量式センサーデバイスのための
処理システム内の同期シグナリングが、水平リフレッシュレートの同期を維持し
垂直帰線消去期間の長さを制御し
トランスミッタ信号周波数の変更要求を管理
ために使用されることができ
【００８２】
　[0097]
ディスプレイデバイス６００が、表示ピクセル行ごとに１５μｓのピクセル更新時間６４０及び表示ピクセル行ごとに約５μｓの水平帰線消去期間を伴う８００表示ピクセル行６１０を有する例
ライン更新時間は、２０μｓであり
約２５ＫＨｚのＶｃｏｍ搬送波周波数に対応
合計８１０行
１０垂直帰線消去ラインが存在
フレーム
レートは
約６０Ｈｚであ
【００８３】
　[0098]
静電容量式センサーの干渉感受性を変えるために、第１の周波数を有するトランスミッタ信号が、第２の周波数を有する第２のトランスミッタ信号に切り替えられ
１０パーセント高い２７．５ｋＨｚのトランスミッタ信号周波数に対して、ピクセル更新時間６４０を１５μｓで一定に保ち、約６０Ｈｚの一定のフレーム
レートを維持するためには
ライン更新時間６３０は約１８μｓであり
非表示更新時間６５０は約３μｓであ
表示ピクセル行６１０の数が
一定である（
は８００ピクセルライン）ので、垂直帰線消去期間の
ラインの数
が、１０ラインから１００ラインに増やされ
トランスミッタ信号の周波数を切り替え、干渉の防止のために復調周波数を同様に切り替え
フレームリフレッシュレートを変えることなく約１０％のライン周波数切り替えを行うことが可能である
　
コ　段落【００８５】−段落【００９１】
「第２の例示的な処理システム
【００８５】
　[00100]図７は、さまざまな実施形態による、入力デバイス（例えば、入力デバイス１００）で利用され得る第２の例示的な処理システム１１０Ｂを示す。処理システム１１０Ｂは、１つ若しくは複数のＡＳＩＣ、１つ若しくは複数のＩＣ、１つ若しくは複数のコントローラ、又はこれらの何らかの組み合わせで実装され得る。一実施形態において、処理システム１１０Ｂは、入力デバイス１００の感知領域１２０の複数のトランスミッタ電極（又は複合電極）及び複数のレシーバ電極と通信可能なように結合される。入力デバイス１００の一実施形態において、処理システム１１０Ｂは、トランスミッタ回路４０５と、レシーバ回路４１５と、継続時間チェンジャー７５５とを含む。一部の実施形態は、表示更新回路７６５、及び／又は図４の処理システム１１０Ａで示されたその他のコンポーネントのうちの１つ若しくは複数（例えば、計算回路４４５）をさらに含む。
【００８６】
　[00101]処理システム１１０Ｂ、及びその処理システム１１０Ｂが一部である入力デバイス１００が、ディスプレイデバイス（例えば、ディスプレイデバイス６００）などの電子システム１５０に配置される、及び／又は電子システム１５０と通信可能なように結合される。１つのそのような一体化された実施形態において、
複合電極が、
表示更新機能と静電容量式感知機能の両方をサポートするために利用される
複合電極で駆動されるトランスミッタ信号は、表示更新と静電容量式感知の両方の目的で働く
図１Ｂのセンサーパターン（複合電極１６０及びレシーバ電極１７０）をディスプレイデバイス６００（図６）の表示ピクセルライン６１０で覆い、それらの表示ピクセルライン６１０と一体化すること
　　　・・・（中略）・・・
【００９１】
　[00106]持続時間チェンジャー７５５は、ディスプレイデバイスの少なくとも１つの非表示更新時間の継続時間を変えるように動作することができる。これは、水平帰線消去期間、又は垂直帰線消去ラインの数（若しくは垂直帰線消去期間の継続時間）のうちの１つ又は複数の変化である可能性がある。一実施形態において、継続時間の変化は、干渉の量に基づいて継続時間チェンジャー７５５によって開始される。例えば、継続時間チェンジャー７５５は、
周囲からの干渉を測定することを含む
干渉の量を測定し、比較する
複合電極によって第１のトランスミッタ信号を送信することから、複合電極によって第２のトランスミッタ信号を送信することへの切り替えを引き起こす
第２のトランスミッタ信号は、第１のトランスミッタ信号の第１の周波数とは異なる第２の周波数を有する
ディスプレイデバイスのリフレッシュレートを実質的に変更しない
サ　段落【０１０８】−【０１０９】
「【０１０８】
　[00123]
トランスミッタ回路４０５は、一体化された静電容量式センサーデバイス及びディスプレイデバイスの複合電極によって送信されるトランスミッタ信号を駆動する
トランスミッタ信号は、表示更新期間中と、
非表示更新期間中との両方で、
送信される
【０１０９】
　[00124]
レシーバ回路４１５は、結果として生じた信号を、非表示更新期間中に
受信する
５．対比
　本願発明と引用発明とを対比する。
　
（１）　引用発明の「ＩＴＯ１　２００１（Ｎ個の感知ラインにパターン形成することができるＩＴＯ層）と、ＩＴＯ２　２００４（Ｍ個の駆動ラインにパターン形成することができるＩＴＯ層）」は、本願発明の「複数のセンサ電極」に対応する。
　ここで、引用発明の「ＩＴＯ２」は、「ＬＣＤのＶCOM電極の役目も果たし」ているから、本願発明の「複数のディスプレイ電極」にも対応する。
　引用発明の「タッチ／ＬＣＤ駆動集積回路２５０１」は、「
ＬＣＤ制御に使用されるＬＣＤドライバ部分２５０２
タッチ走査と処理に使用されるＡＲＭプロセッサ２５０３及びマルチタッチ・コントローラ２５０４
　よって、「タッチ／ＬＣＤ駆動集積回路２５０１」を用いる、引用発明の「部分的に一体化されたタッチ感知のコンセプトＡの方法。」は、本願発明の「複数のセンサ電極及び複数のディスプレイ電極に結合された処理システムを動作させる方法」に対応する。
（２）　引用発明において、「タッチ／ＬＣＤ駆動集積回路２５０１」が「ＬＣＤ制御に使用されるＬＣＤドライバ部分２５０２」を備えており、「ディスプレイ・オペレーションでは、標準的なビデオ・リフレッシュ・レート（例えば、６０ｆｐｓ）が使用され」、「ディスプレイ走査は、通常、ライン順に進む」ことは、本願発明が「表示を更新するために複数のディスプレイ電極のうちの少なくとも１つへ表示信号を駆動するステップ」を備えることに相当する。
（３）ア　引用発明のタッチ検出は、「作動時、
駆動信号
周期的電圧）が、各駆動ライン１０５ａに印加され
駆動ライン１０５ａは、一度に１つずつ駆動され
この処理は、全ての駆動ラインが駆動されるまで、それぞれの駆動ライン１０５ａについて繰り返され
全てのライン１０５ａが駆動されてしまうと、上記シーケンスが繰り返されて、一連のタッチ・イメージが構築され
イ　引用発明の「
同時に起こる
１６．６７ｍｓｅｃ持続
ディスプレイ・フレームの開始地点で
同時に、
時間ｔ＝１．６７ｍｓの時点では
同時に、
同時に
ウ　よって、引用発明において、「タッチ／ＬＣＤ駆動集積回路２５０１」が「タッチ走査と処理に使用されるＡＲＭプロセッサ２５０３及びマルチタッチ・コントローラ２５０４」を備え、「タッチ感知では、少なくとも毎秒１２０回というレートが使用され」ることは、本願発明の「前記表示のピクセルを更新するための前記表示信号の駆動している間と少なくとも部分的に重畳する第１の期間の間、前記複数のセンサ電極のうちの少なくとも１つのセンサ電極へ第１の周波数を有する第１の容量性感知信号を駆動するステップ」に相当する。
　したがって、本願発明と引用発明との間には、次の一致点・相違点があるといえる。
　
［一致点］
「複数のセンサ電極及び複数のディスプレイ電極に結合された処理システムを動作させる方法であって、
　表示を更新するために複数のディスプレイ電極のうちの少なくとも１つへ表示信号を駆動するステップと、
　前記表示のピクセルを更新するための前記表示信号の駆動している間と少なくとも部分的に重畳する第１の期間の間、前記複数のセンサ電極のうちの少なくとも１つのセンサ電極へ第１の周波数を有する第１の容量性感知信号を駆動するステップと、
　を備える方法。」
［相違点１］
　本願発明では、「前記表示のピクセルを更新するための前記表示信号を駆動している間と少なくとも部分的に重畳する第２の期間の間、前記少なくとも１つのセンサ電極へ第２の周波数を有する第２の容量性感知信号を駆動するステップ」を備えるのに対して、引用発明では、第２の周波数を有する第２の容量性感知信号を駆動することが特定されていない点。
［相違点２］
　本願発明では、「前記第２の周波数との同期を維持するように前記表示信号のタイミングを調整するステップ」を備えるのに対して、引用発明では、第２の周波数との同期を維持するように表示信号のタイミングを調整するステップが特定されていない点。
６．当審の判断
［相違点１］、［相違点２］について
　引用文献２（上記４（３）ア−サを参照。）には、概略、以下の３つの事項が記載されている（上記４（３）ウを参照。）。
ア　「第１節　干渉を防止するための復調の変更」（段落【００４６】−【００７８】。上記４（３）カ−クを参照。）
イ　「第２節　干渉を防止するための搬送波（トランスミッタ信号）周波数の切り替え」（段落【００７９】−【０１０１】。上記４（３）ケ−コを参照。）
ウ　「第３節　干渉を防止するためのディスプレイの非表示更新時間中の感知」（段落【０１０２】−【０１２６】。上記４（３）サを参照。）
　引用文献２において、特に「第２節」とその関連記載を参照すると、引用文献２には、以下の事項（以下、「引用文献２に記載された事項」という。）が開示されていると認められる。
「一体化された静電容量式センサーデバイス及びディスプレイデバイスにおいて干渉を防止する方法であって（上記４（３）ア−イを参照。）、
　静電容量式センサーデバイスのための「トランスミッタ電極」、及び、ディスプレイの表示更新のための「Ｖｃｏｍ電極」として動作する「複合電極」を用いており（上記４（３）エを参照。）、
　ライン更新時間６３０、非表示更新時間６５０、垂直帰線消去ラインの数を調整することによって、同期されたトランスミッタ信号周波数が、表示フレームレートを変えることなく干渉を防止するために切り替えられ、
　ディスプレイデバイスにおいては、ピクセル更新時間６４０及び表示フレームレートを維持することが望ましいため、ディスプレイデバイスと静電容量式センサーデバイスのための処理システム内の同期シグナリングが、水平リフレッシュレートの同期を維持し、垂直帰線消去期間の長さを制御し、トランスミッタ信号周波数の変更要求を管理するために使用されることができ、
　具体的には、ディスプレイデバイス６００が、表示ピクセル行ごとに１５μｓのピクセル更新時間６４０及び表示ピクセル行ごとに約５μｓの水平帰線消去期間を伴う８００表示ピクセル行６１０を有し、
　ライン更新時間は、２０μｓであって、約２５ＫＨｚのＶｃｏｍ搬送波周波数に対応し、
　合計８１０行のうち１０垂直帰線消去ラインが存在し、
　フレームレートは約６０Ｈｚである状態から、
　静電容量式センサーの干渉感受性を変えるために、第１の周波数を有するトランスミッタ信号が、第２の周波数を有する第２のトランスミッタ信号に切り替えられて、
　１０パーセント高い２７．５ｋＨｚのトランスミッタ信号周波数に対して、
　ピクセル更新時間６４０を１５μｓで一定に保ち、
　約６０Ｈｚの一定のフレームレートを維持するためには、
　ライン更新時間６３０は約１８μｓであり、
　非表示更新時間６５０は約３μｓであり、
　表示ピクセル行６１０の数が、一定である（８００ピクセルライン）ので、垂直帰線消去期間のラインの数が、１０ラインから１００ラインに増やされ、
　トランスミッタ信号の周波数を切り替え、干渉の防止のために復調周波数を同様に切り替え、
　フレームリフレッシュレートを変えることなく約１０％のライン周波数切り替えを行うことが可能である（上記４（３）ケを参照。）、
　方法。」
　上記引用発明２に記載された事項において、「フレームレート」（「約６０Ｈｚ」）を維持したまま、「トランスミッタ信号周波数」を「第１の周波数（２５ＫＨｚ）」から「第２の周波数（２７．５ＫＨｚ）」に切り替える、「複合電極」を用いる、一体化された静電容量式センサーデバイス及びディスプレイデバイスにおいて、「トランスミッタ信号の周波数」及び「復調周波数」は、「タッチ検出」のための信号駆動と信号検出の周波数である一方、「ディスプレイデバイスと静電容量式センサーデバイスのための処理システム内の同期シグナリングが、
水平リフレッシュレートの同期を維持し
　そして、引用発明と引用文献２に記載された事項とは、いずれも、複合電極を備える、一体化されたディスプレイと静電容量式タッチセンサに係るものであって、タッチ検出と表示との干渉の対策に関する点で共通しているといえる。
　また、一般に、「静電容量式タッチセンサ」が周囲からの干渉の影響を受けやすいデバイスであることが文献を挙げるまでもなく周知であることを考慮すると、一体化されたディスプレイと静電容量式タッチセンサを備える引用発明においても、静電容量式タッチセンサに対する周囲からの干渉に対応するというニーズがあることは明らかであるといえる。
　そして、タッチ検出と表示の駆動信号とが時間的に重畳する引用発明において、周囲からの干渉信号に対処するために、タッチ検出と表示の同期を維持したまま「トランスミッタ信号の周波数」を切り替える、引用文献２に記載された事項を付加することによって、「前記表示のピクセルを更新するための前記表示信号を駆動している間と少なくとも部分的に重畳する第２の期間の間、前記少なくとも１つのセンサ電極へ第２の周波数を有する第２の容量性感知信号を駆動するステップ」と、「前記第２の周波数との同期を維持するように前記表示信号のタイミングを調整するステップ」とを備える、上記［相違点１］、［相違点２］に係る構成とすることは、当業者が容易になし得たことである。
　さらに、本願発明の効果も、引用発明及び引用文献２に記載された事項に基づいて、当業者が予測し得る範囲内のものである。
７．むすび
　以上のとおり、本願発明は、引用文献１に記載された発明及び引用文献２に記載された事項に基づいて、その優先権主張日前にその発明の属する技術の分野における通常の知識を有する者が容易に発明をすることができたものであるから、特許法２９条２項の規定により特許を受けることができない。
　したがって、他の請求項に係る発明について検討するまでもなく、拒絶すべきものである。
　よって、結論のとおり審決する。